(57)【特許請求の範囲】
【請求項１】
ローラを回転自在に外嵌したブシュの両端が一対の内リンクプレートに形成したブシュ孔に嵌合固定されているとともに前記ブシュ内に回転自在に挿入したピンが一対の外リンクプレートに形成したピン孔に嵌着されてなるローラチェーンにおいて、
前記内リンクプレートの外側面側に向けて徐々にブシュ内径を大きくした環状切欠部が、前記内リンクプレートのブシュ孔の端縁部内周に面取りにより形成され、
前記ブシュが、前記ブシュ孔に嵌合するブシュ小径部とローラを外嵌するブシュ大径部との境界部分に環状段差部を有しているとともに前記ブシュ小径部の先端部分にブシュ内径側からブシュ外径側に向けて徐々に肉厚を薄くした環状薄肉部を有し、
前記内リンクプレートのブシュ孔にブシュ小径部を圧入したブシュの環状段差部が、該ブシュ孔の内側面側の端縁部に係合し、
前記ブシュ小径部の環状薄肉部が、前記ブシュ孔の環状切欠部側の３箇所以上で等間隔にかしめられて部分的に締鋲されて前記内リンクプレートの外側面から突出することなく内リンクプレートの外側面と面一になっていることを特徴とするローラチェーン。
【請求項２】
前記ローラ、ブシュ、ピン、内リンクプレート及び外リンクプレートが、ステンレス鋼からなっていることを特徴とする請求項１記載のローラチェーン。
【発明の詳細な説明】
【技術分野】
【０００１】
本発明は、内リンクプレートのブシュ孔にブシュがずれないように嵌合固定されたローラチェーンに関する。
【背景技術】
【０００２】
ローラチェーンとして、ローラが回転自在に外嵌されたブシュの両端が一対の内リンクプレートに形成されたブシュ孔に圧入（しまり嵌め）された内リンクと、ブシュ内に回転自在に挿入されたピンが一対の外リンクプレートに形成されたピン孔に嵌着された外リンクとからなるローラチェーンが知られている（特許文献１参照。）。
【特許文献１】特開２００６−２８９１号公報
【発明の開示】
【発明が解決しようとする課題】
【０００３】
前記従来のローラチェーンは、内リンクプレートのブシュ孔にブシュが圧入されているだけであるため、チェーンに過大張力が作用した場合、あるいは高温域でチェーンを使用してクリープ現象が発生した場合、内リンクプレートのブシュ孔が広がり、ブシュとブシュ孔との嵌合力が低下し、内リンクプレートとブシュとの間にずれが生じる。
このずれが一対の内リンクプレートのいずれか一方にでも生じて、チェーン使用中に内リンクプレート同士の内幅（間隔）が広がると、内リンクプレートと隣接する外リンクプレートとが面接触して屈曲抵抗が発生し、チェーンが屈曲不良になる、という問題がある。
また、逆に内リンクプレート同士の内幅が狭まると、ローラ回転不良が発生するという問題がある。
さらに、このようなチェーン屈曲不良、ローラ回転不良に起因して、チェーンとスプロケットとが噛合い不良を起こし、チェーンがスプロケットに乗り上げる等の不都合な現象を起こすと共に、チェーンが破損するという問題がある。
【０００４】
そこで、本発明は、前記したような従来技術の問題を解決するものであって、すなわち、本発明の目的は、チェーンに過大張力が作用した場合、あるいは、高温域でチェーンを使用してクリープ現象が発生した場合でも、内リンクプレート同士の内幅が広がるのを防止して内リンクプレートと外リンクプレートとの接触によるチェーン屈曲不良を防止するとともに、内リンクプレート同士の内幅が狭まるのを防止してローラ回転不良を防止するローラチェーンを提供することである。
【課題を解決するための手段】
【０００５】
まず、請求項１に係る本発明は、ローラを回転自在に外嵌したブシュの両端が一対の内リンクプレートに形成したブシュ孔に嵌合固定されているとともに前記ブシュ内に回転自在に挿入したピンが一対の外リンクプレートに形成したピン孔に嵌着されてなるローラチェーンにおいて、前記内リンクプレートの外側面側に向けて徐々にブシュ内径を大きくした環状切欠部が、前記内リンクプレートのブシュ孔の端縁部内周に面取りにより形成され、前記ブシュが、前記ブシュ孔に嵌合するブシュ小径部とローラを外嵌するブシュ大径部との境界部分に環状段差部を有しているとともに前記ブシュ小径部の先端部分にブシュ内径側からブシュ外径側に向けて徐々に肉厚を薄くした環状薄肉部を有し、前記内リンクプレートのブシュ孔にブシュ小径部を圧入したブシュの環状段差部が、該ブシュ孔の内側面側の端縁部に係合し、前記ブシュ小径部の環状薄肉部が、前記ブシュ孔の環状切欠部側の３箇所以上で等間隔にかしめられて部分的に締鋲されて前記内リンクプレートの外側面から突出することなく内リンクプレートの外側面と面一になっていることにより、前述した課題を解決したものである。
【０００６】
請求項２に係る本発明は、請求項１に係るローラチェーンの構成に加えて、前記ローラ、ブシュ、ピン、内リンクプレート及び外リンクプレートが、ステンレス鋼からなっていることにより、前述した課題を解決したものである。
【発明の効果】
【０００７】
請求項１に係る本発明によれば、ローラを回転自在に外嵌したブシュの両端が一対の内リンクプレートに形成したブシュ孔に嵌合固定されているとともに前記ブシュ内に回転自在に挿入したピンが一対の外リンクプレートに形成したピン孔に嵌着されてなるローラチェーンにおいて、内リンクプレートの外側面側に向けて徐々にブシュ内径を大きくした環状切欠部が内リンクプレートのブシュ孔の端縁部内周に面取りにより形成され、ブシュがブシュ孔に嵌合するブシュ小径部とローラを外嵌するブシュ大径部との境界部分に環状段差部を有しているとともにブシュ小径部の先端部分にブシュ内径側からブシュ外径側に向けて徐々に肉厚を薄くした環状薄肉部を有し、内リンクプレートのブシュ孔にブシュ小径部を圧入したブシュの環状段差部がブシュ孔の内側面側の端縁部に係合し、ブシュ小径部の環状薄肉部がブシュ孔の環状切欠部側の３箇所以上で等間隔にかしめられて部分的に締鋲されて内リンクプレートの外側面から突出することなく内リンクプレートの外側面と面一になっていることにより、チェーンに過大張力が作用し、あるいはクリープ現象が発生し、内リンクプレートのブシュ孔が広がり、ブシュとブシュ孔との嵌合力が低下した場合でも、ブシュ小径部の環状薄肉部が３箇所以上で等間隔にブシュ孔の環状切欠部側にかしめられて部分的に締鋲されているため、内リンクプレート同士の内幅が広がるのを防止して、屈曲抵抗の発生、チェーン屈曲不良を防止することができると共に、環状段差部がブシュ孔の端縁部に係合しているため、内リンクプレート同士の内幅が狭まるのを防止して、ローラ回転不良が発生するのを防止することができる。
その結果、チェーン屈曲不良、ローラ回転不良に起因するスプロケットとの噛合い不良を回避することができ、ひいてはチェーン破損を防止することができる。
【０００８】
さらに、ブシュ孔の端縁部内周には面取りにより環状切欠部が形成され、ブシュ孔にブシュ小径部が圧入されたブシュは、ブシュ小径部の環状薄肉部が３箇所以上で等間隔にブシュ孔の環状切欠部側にかしめられて部分的に締鋲されているので、締鋲する際、ブシュ先端部分の環状薄肉部の肉厚が薄いため、小さいかしめ力で締鋲することができると共に、締鋲に際してブシュ内径が縮小するのを防止することができる。
また、内リンクプレートのブシュ孔の端縁部内周には面取りにより環状切欠部が形成されているので、環状切欠部を案内にして環状薄肉部がかしめられて締鋲されるため、締鋲部を内リンクプレートのプレート面から突出させることなく締鋲することができる。
また、ブシュ端部が内リンクプレートの外側面と面一であるので、締鋲部が形成されていない従来のローラチェーンと同じ幅のローラチェーンとすることができる。
【０００９】
また、請求項２に係る本発明のローラチェーンによれば、請求項１記載のローラチェーンが奏する効果に加えて、前記ローラ、ブシュ、ピン、内リンクプレート及び外リンクプレートが、ステンレス鋼からなっていることにより、内リンクプレート及び外リンクプレートのクリープが抑制されローラチェーンを耐熱使用可能のものとすることができる。
【発明を実施するための最良の形態】
【００１０】
本発明の実施例を図１〜図１０に基づいて説明する。ローラチェーン１は、図１〜図３、図７等に示すように、ローラ２が回転自在に外嵌されたブシュ３の両端が一対の内リンクプレート４，４にそれぞれ形成された一対のブシュ孔５，５に嵌合固定され、ブシュ３内に回転自在に挿入されたピン６（又は延長ピン９）が一対の外リンクプレート７，７にそれぞれ形成された一対のピン孔８，８に嵌着されてなるものである。
なお、延長ピン９はアタッチメントが取り付けられるピンであり、図１〜図３における符号１０は内リンクプレート４に備えられたアタッチメントである。
【００１１】
内リンクプレート４は、図４、図５に示すように、その表裏両面が外リンクプレート７に対向する外側面４ａとローラ２に対向する内側面４ｂとを有する。
内リンクプレート４に形成されたブシュ孔５の外側面４ａ側の端縁部内周には、面取りにより環状切欠部５ａが形成され、この環状切欠部５ａは外側面４ａ側に向けて徐々にブシュ内径が大きくなる末広状になっている。
この環状切欠部５ａは、内リンクプレート４の少なくとも外リンクプレート７に対向する外側面４ａ側に形成されていればよく、反対側の内側面４ｂ側は面取りされてなくてもよい。
なお、環状切欠部５ａがブシュ孔５の両端縁部、すなわち、外側面４ａ側及び内側面４ｂ側に形成されている場合は、チェーン製造時に内リンクプレート４の表裏を区別する必要がないため、組み立て工程を簡略化することができる。
【００１２】
内リンクプレート４のブシュ孔５に嵌合されるブシュ３は、図６に示すように、ブシュ孔５に嵌合するブシュ小径部３ａとローラ２が外嵌されるブシュ大径部３ｂとを有し、ブシュ小径部３ａとブシュ大径部３ｂとの境界部分で形成された環状段差部３ｃを有する。
また、ブシュ３のブシュ小径部３ａの先端部分には、ブシュ内径側からブシュ外径側に向けて徐々に肉厚が薄くなる環状薄肉部３ｄが形成されている。
【００１３】
このブシュ３をブシュ孔５に嵌合するときは、ブシュ３のブシュ小径部３ａを圧入し、環状段差部３ｃをブシュ孔５の内側面４ｂ側の端縁部に当接させて係合する。
また、図７〜図９に示すように、ブシュ孔５に嵌合されたブシュ３は、環状薄肉部３ｄが部分的に等間隔でかしめられ、４箇所の締鋲部３ｅで締鋲（十文字締鋲）される。
この場合、ブシュ孔５に嵌合したブシュ小径部３ａの最先端であるブシュ３の端部と内リンクプレート４の外側面４ａとを面一にする。
このようにすると、環状薄肉部３ｄが環状切欠部５ａ側にかしめられ、このかしめられた締鋲部３ｅが内リンクプレート４の外側面から突出しない。
その結果、締鋲部が形成されていない従来のローラチェーンと同じ幅のローラチェーンとすることができる。
【００１４】
上記のように、ブシュ３の環状薄肉部３ｄを部分的にかしめるときは、ブシュ３のブシュ内径が縮小しないように、かしめ工具、例えば、かしめパンチ、締鋲ぱんち、かしめ金型などでブシュ孔５の環状切欠部５ａを案内にして塑性変形させてかしめる。
環状薄肉部３ｄをかしめて締鋲する場合、４箇所で締鋲することが好ましいが、３箇所以上で等間隔にかしめて締鋲しても構わない。
なお、締鋲部３ｅの締鋲量が小さいときは、図１０の（Ａ）に示すような態様となり、締鋲部３ｅの締鋲量が大きいときは、図１０の（Ｂ）に示すような態様になる。
【００１５】
上記構成からなるローラチェーン１の作用効果を以下説明する。
ブシュ３のブシュ小径部３が内リンクプレート４のブシュ孔５に圧入され、ブシュ３外周の環状段差部３ｃがブシュ孔５のプレート面４ｂ側の端縁部に当接して係合し、ブシュ３のブシュ小径部３の先端部分に形成された環状薄肉部３ｄが４箇所でかしめられて締鋲されているので、ブシュ３をブシュ孔５に強固に嵌合固定することができる。
また、ローラチェーンに過大張力が作用したり、あるいは高温域でローラチェーンを使用してクリープ現象が発生して、内リンクプレート４のブシュ孔５が広がり、ブシュ３とブシュ孔５との嵌合力が低下したとしても、ブシュ孔５に嵌合されているブシュ３は、環状段差部３ｃと４箇所の締鋲部３ｅとにより固定されているため、ブシュ３とブシュ孔５とでずれることはなく、ブシュ３と内リンクプレート４とでずれが生じるのを防止することができる。
【００１６】
その結果、内リンクプレート４，４同士の内幅（間隔）が広がるのを防止することができ、屈曲抵抗の発生、チェーン屈曲不良を防止することができると共に、内リンクプレート４，４同士の内幅（間隔）が狭まるのを防止することができ、ローラ回転不良が発生するのを防止することができるので、チェーン屈曲不良、ローラ回転不良に起因するスプロケットとの噛合い不良を回避することができ、ひいてはチェーン破損を防止することができる。
【００１７】
さらに、ブシュ孔５の端縁部内周には面取りにより環状切欠部５ａが形成され、ブシュ３の小径部３ａ先端部分に形成された環状薄肉部３ｄは肉厚が薄いため、小さいかしめ力で部分的に締鋲することができると共に、締鋲部３ｅ以外の所の環状薄肉部３ｄに割れ、クラック等が発生しないようにすることができ、締鋲によるブシュ内径の縮小を防止することができる。
また、内リンクプレート４のブシュ孔５の端縁部内周には面取りにより環状切欠部５ａが形成されているので、環状切欠部５ａを案内にしてかしめられるため、締鋲部３ｅを内リンクプレート４の外側面４ａから突出させないようにすることができる。
【００１８】
また、ローラチェーン１を構成するローラ２、ブシュ３、ピン６、内リンクプレート４及び外リンクプレート７等の部材の材質は、普通鋼でも構わないが、これら部材を特殊鋼であるステンレス鋼とすることが好ましく、ステンレス鋼とした場合、内リンクプレート４及び外リンクプレート７のクリープが抑制されローラチェーンを耐熱使用可能のものとすることができる。
【図面の簡単な説明】
【００１９】
【図１】本発明実施例のローラチェーンの一部平面図。
【図２】ローラチェーンの一部正面図。
【図３】図2のＸ−Ｘ矢視方向断面図。
【図４】内リンクプレートの平面図。
【図５】内リンクプレートの断面図。
【図６】ブシュの断面図。
【図７】ローラチェーンの要部断面図。
【図８】ブシュの環状薄肉部が部分的に締鋲された内リンクプレートの平面図。
【図９】図８に示す内リンクプレートの側面図。
【図１０】（Ａ）は締鋲量が小さい場合、（Ｂ）は締鋲量が大きい場合の各締鋲の態様を示す説明図。
【符号の説明】
【００２０】
１・・・  ローラチェーン
２・・・  ローラ
３・・・  ブシュ
３ａ・・・  ブシュ小径部
３ｂ・・・  ブシュ大径部
３ｃ・・・  環状段差部
３ｄ・・・  環状薄肉部
３ｅ・・・  締鋲部
４  ・・・  内リンクプレート
４ａ・・・  内リンクプレートの外側面
４ｂ・・・  内リンクプレートの内側面
５  ・・・  ブシュ孔
５ａ・・・  環状切欠部
６  ・・・  ピン
７  ・・・  外リンクプレート
８  ・・・  ピン孔
９  ・・・  延長ピン
１０・・・  アタッチメント
【図１】
0004789865.tif 000002
【図２】
0004789865.tif 000003
【図３】
0004789865.tif 000004
【図４】
0004789865.tif 000005
【図５】
0004789865.tif 000006
【図６】
0004789865.tif 000007
【図７】
0004789865.tif 000008
【図８】
0004789865.tif 000009
【図９】
0004789865.tif 000010
【図１０】
0004789865.tif 000011